(57)【要約】      （修正有）【課題】リサイクル可能な正月飾りを提供する。【解決手段】しめ縄１００と、しめ縄１００に取り付けられた装飾品２００とを備えた正月飾りにおいて、しめ縄１００および装飾品２００は、麻で作られるようにする。しめ縄１００は、麻（繊維として麻）を束ねて編んで作られる。麻は、例えば、布類やパルプとしてリサイクル可能な材料である。麻には、例えば、亜麻、苧麻を用いるとよい。もちろん、マニラ麻、サイザル麻、洋麻、大麻などであってもよい。なお、本しめ縄１００の材料である麻は、漂白が施されている。また、必要に応じて着色（染色）されている。装飾品２００は、しめ縄１００と麻ひもで結び付けられる。また、装飾品２００は、種々の部品が組み合わされている。各部品は、麻ひもで結び付けられる。【選択図】図１
0003148880.tif 000002
【実用新案登録請求の範囲】
【請求項１】
しめ縄を備えた正月飾りであって、
前記しめ縄は、麻で作られていること、
を特徴とする正月飾り。
【請求項２】
請求項１に記載の正月飾りであって、
前記しめ縄に取り付けられた装飾品を備え、
前記装飾品は、麻で作られていること、
を特徴とする正月飾り。
【請求項３】
請求項２に記載の正月飾りであって、
前記しめ縄および装飾品を構成する麻は、漂白が施されており、少なくとも一部が着色されていること、
を特徴とする正月飾り。
【請求項４】
しめ縄を備えた正月飾りであって、
前記しめ縄は、漂白が施された麻と、前記漂白および着色が施された麻と、を併せて編み込んで作られていること、
を特徴とする正月飾り。
【請求項５】
しめ縄と、該しめ縄に取り付けられた装飾品とを備えた正月飾りであって、
前記しめ縄および前記装飾品は、漂白が施された麻と、前記漂白および着色が施された麻と、を併せて編み込んで作られていること、
を特徴とする正月飾り。
【請求項６】
請求項２または５に記載の正月飾りであって、
前記しめ縄と前記装飾品とは、麻ひもにより結び付けられていること、
を特徴とする正月飾り。
【請求項７】
請求項１〜６いずれか一項に記載の正月飾りであって、
前記麻は、リサイクル可能な麻であること、
を特徴とする正月飾り。
【考案の詳細な説明】
【技術分野】
【０００１】
本考案は、装飾品の技術に関し、特に祭事用・縁起用の装飾品として利用する正月飾りの技術に関する。
【背景技術】
【０００２】
正月を迎えるにあたり、玄関や神棚に正月飾りを飾り付け、一年の健康、家内安全、商売繁盛等を祈念することが行なわれている。従来の正月飾りは、特許文献１（実用新案登録第３０８１４３２号）に記載されているように、草或いは藁を編んで作ったしめ縄に、水引、ゆずり葉、海老等の装飾品を取り付けたものが利用されている。
【考案の開示】
【考案が解決しようとする課題】
【０００３】
ところで、近年、環境対策の１つとして、使用済みの資源を回収して再利用する、いわゆるリサイクルへの取り組みが活発になっている。リサイクルの対象としては、例えば、紙類、布類、金属類、ビン類、プラスチック類などがある。また、このような状況の中、現状ではリサイクルの対象となっていない物についても、できる限りリサイクルすべきであるという要望がある。
【０００４】
しかしながら、特許文献１に記載されている正月飾りは、以下の問題を有している。具体的には、正月飾りのしめ縄に用いられている草或いは藁（藁等）は、リサイクル対象の資源として回収されていない。そのため、正月飾りは、消費者等が一旦使用し終えた場合には、例えば、捨てられて焼却され、再利用されない。また、しめ縄に取り付けられた装飾品は、その一部は材料によってはリサイクル可能であるとしても、通常はしめ縄とともに捨てられて焼却され、再利用されない。このように、従来の正月飾りは、リサイクルされず、環境への悪影響が懸念されている。
【０００５】
本考案は、上記事情に鑑みてなされたものであり、本考案の目的は、リサイクル可能な正月飾りを提供することにある。
【課題を解決するための手段】
【０００６】
上記課題を解決するため、本考案の一態様は、しめ縄を備えた正月飾りにおいて、前記しめ縄は、麻で作られるようにする。
【０００７】
また、本発明の他の態様は、しめ縄と、当該しめ縄に取り付けられた装飾品とを備えた正月飾りにおいて、前記しめ縄および装飾品は、麻で作られるようにする。
【考案の効果】
【０００８】
このように本考案によれば、しめ縄および装飾品の少なくとも一方は麻で作られているため、リサイクル可能な正月飾りを提供することができる。
【考案を実施するための最良の形態】
【０００９】
以下、本考案が適用された正月飾りの実施形態について、図面を用いて説明する。
【００１０】
《第１実施形態》
まず、本考案の第１実施形態の正月飾りの概略について、図１および図２を用いて説明する。
【００１１】
図１は、本考案の第１実施形態の正月飾りの外観図である。図２は、本考案の第１実施形態の正月飾りの分解図である。
【００１２】
図示するように、第１実施形態の正月飾りは、しめ縄１００と、装飾品２００とを有する。なお、第１実施形態では、しめ縄１００に装飾品２００を取り付けた場合を例にするがこれは例示に過ぎない。しめ縄１００だけで正月飾りを構成してもよい。
【００１３】
しめ縄１００は、麻（繊維として麻）を束ねて編んで作られる。麻は、例えば、布類やパルプとしてリサイクル可能な材料である。麻には、例えば、亜麻、苧麻を用いるとよい。もちろん、マニラ麻、サイザル麻、洋麻、大麻などであってもよい。なお、本考案のしめ縄１００の材料である麻は、後述する方法により漂白が施されている。また、必要に応じて着色（染色）されている。
【００１４】
装飾品２００は、しめ縄１００と麻ひもで結び付けられる。また、装飾品２００は、種々の部品が組み合わされている。各部品は、麻ひもで結び付けられる。なお、しめ縄１００に装飾品２００を取り付ける方法、装飾品２００の各部品を結び付ける方法は、特に限定しない。例えば、麻ひもの代わりに、綿ひも、のり、接着剤などを用いてもよい。
【００１５】
各部品は、麻を束ねて編んで作られる。なお、本考案の装飾品２００の各部品の材料である麻は、後述する方法により漂白が施されている。また、必要に応じて着色（染色）されている。本実施形態では、装飾品２００を構成する部品の具体的な構成について特に限定しない。例えば、装飾品２００は、図２に示すように、花飾り２０１、末広（扇）２０２、ネット状の水引２０３、花飾り２０４、および札２０６が貼られた台２０５、の各種部品を有する。なお、札２０６は、例えば、紙で作られる。
【００１６】
続いて、本考案の第１実施形態の正月飾りの生産手順について、図２を用いて説明する。
【００１７】
先ず、しめ縄１００および装飾品２００の材料である麻の生産手順について説明する。具体的には、天日干しされた麻を、漂白材を水に溶かして生成した溶液の入った容器（釜等）入れて熱することで漂白する。麻の漂白に用いる溶液については、特に限定しない。例えば、漂白材に、hydrogen peroxide（Ｈ２Ｏ２）を利用するとよい。漂白材にhydrogen peroxide（Ｈ２Ｏ２）を利用する場合、hydrogen peroxideと水（Ｈ２Ｏ）とを「１」対「３」の割合で混ぜた溶液を作り、その溶液の中に麻を入れて、所定時間煮沸する。このように煮沸するようにしたのは、効率的に漂白ができることに加え、さらに、煮沸により防虫、防カビ等の効果が得られるためである。
【００１８】
もちろん、上記で説明した麻を漂白する方法は、あくまでも例示である。他の方法で麻を漂白してもよい。例えば、漂白剤にＨ２Ｏ２以外のものを利用してもよいし、煮沸時間も変更してもかまわない。また、漂白剤と水との割合を変更してもかまわない。
【００１９】
その後、漂白した麻を溶液から出し、良く水洗いしてから、緑色、赤色、黒色、ピンク色、金色等の色に着色（染色）する。そして、各色の麻（着色されていない麻も含む）を所定時間日向干しした後、乾燥機等で水分を取り除く。その後、水分が入らないような状態で保管する（例えば、ドライルームの中で水分が入らないように保管する）。
【００２０】
続いて、ドライルームで保管されている各色の麻を束ねて編み、例えば、図２に示すしめ縄１００を作る。また、各色の麻を束ねて編み、例えば、図２に示す装飾品２００の各部品を作り、麻ひも等で組み合わせる。その後、しめ縄１００に装飾品２００を麻ひも等で取り付け、正月飾りを完成させる。なお、正月飾りの生産手順は、上記に限定されない。
【００２１】
なお、図１および２に示した、しめ縄１００の形状および装飾品２００の構成はあくまでも例示に過ぎない。例えば、第１実施形態の正月飾りを、図３に示すような形状にしてもかまわない。
【００２２】
図３には、本考案の第１実施形態の変形例を示している。図示するように、変形例では、環状に編んだしめ縄３００に、装飾品４００が取り付けられている。しめ縄３００および装飾品４００の各部品は、上述した手順で生産された各色の麻を束ねて編み込むことにより作られている。装飾品４００は、花飾り４０１、および札４０６が貼られた台４０５、を備えている。なお、札４０６は、例えば、紙で作られる。
【００２３】
以上、本考案の第１実施形態について説明した。なお、本実施形態の正月飾りは、しめ縄だけで構成するようにしてもよい。また、しめ縄および装飾品は、それぞれ、着色されていない麻だけで作るようにしてもよいし、各色の麻を編みこんで作るようにしてもよい。また、本実施形態の正月飾りは、しめ縄および装飾品の少なくとも一方が麻で作られるようにしてもよい。
【００２４】
このように第１の実施形態の正月飾りは、リサイクル可能な繊維である麻で作られるため、消費者が一旦使用し終えた場合であっても、リサイクル対象の資源として捨てられ、リサイクルされる。また、しめ縄および装飾品のいずれか一方が麻で作られていても、消費者は簡単に分解して、麻で作られた方をリサイクルすることができる。
【００２５】
また、第１の実施形態では、しめ縄および装飾品の材料に麻を用いるため、天然物の藁等と異なる色彩の色になり、新たなデザイン効果が生じる。例えば、漂白された麻は、黄金色に近い白色となり、見栄えが良い。また、様々な色に着色した麻を用いることができるため、デザインのバリエーションを増やすことできるとともに、デザイン性が向上する。
【００２６】
また、本実施形態では、しめ縄および装飾品の材料である麻を漂白しているため、着色を施していない麻が経年変化により色落ちすることを防ぐことができる。また、麻は着色されているため、従来のしめ縄（例えば、特許文献１のしめ縄）に比べて、色落ちする可能性を低減させることができる。
【００２７】
すなわち、第１実施形態の正月飾りは、期間経過による製品価値の減少を防止することができ、製造メーカおよび販売業者にとって、取り扱い易い製品となる。また、色落ちしにくいため、正月飾りの販売時期に対応させ、しめ縄を生産する必要がない。そのため、本実施形態によれば、正月飾りの生産性を向上させることが可能になる。
【００２８】
また、本実施形態では、麻を漂白してから着色しているため、麻が持つ本来の色に影響を受けることなく、所望する色のしめ縄および装飾品を作ることができる。また、本実施形態では、漂白することにより、しめ縄および装飾品に色ムラが無くなるため、正月飾りの見栄えがよくなる。
【００２９】
また、本実施形態では、漂白する際に麻を熱するため、効率よく漂白できる。さらに、麻を熱することで、麻に防虫、防カビ対策を施すことができる。このように、本実施形態によれば、防虫効果、防カビ効果を得るために特別の作業を行う必要がないため、低コストで、麻への防虫、防カビ対策を施すことができるようになる。
【００３０】
また、麻に防虫効果、防カビ効果が生じているため、しめ縄に取り付ける装飾品が天然物であっても、カビが生えたり、虫が涌いたりすることを防ぐことができる。
【００３１】
なお、本考案は、以上で説明した実施形態に限定されるものではなく、本考案の要旨の範囲内において種々の変形が可能である。
【００３２】
上述した実施形態で示したしめ縄の形状（図１〜３で示した形状）は、例示に過ぎない。例えば、しめ縄を宝船等の形状にしてもかまわない。また、上記実施形態では、玄関、神棚の前、店舗の入口等の飾り付ける正月飾りを説明したがこれは例示に過ぎない。例えば、自動車の車内に飾る小型の正月飾りにも本考案を適用することができる。
【００３３】
また、上記の第１実施形態では、麻を漂白して、その漂白した麻でしめ縄および装飾品を作る場合を説明したが、特にこれに限定するものではない。例えば、漂白前の麻でしめ縄および装飾品を作っておき、その後漂白および着色をするようにしてもよい。
【００３４】
また、麻を色付けする塗料に防腐剤を混ぜるようにしてもよい。或いは、麻に漂白を施す際に、漂白を行う溶液の中に防腐剤を入れるようにしてもかまわない。
【図面の簡単な説明】
【００３５】
【図１】本考案の第１実施形態の正月飾りの外観図である
【図２】本考案の第１実施形態の正月飾りの分解図である。
【図３】本考案の第１実施形態の変形例の正月飾りの外観図である。
【符号の説明】
【００３６】
１００：しめ縄、２００：装飾品、２０１：花飾り、２０２：末広（扇）、２０３：水引、２０４：花飾り、２０５：台、２０６：札、３００：しめ縄、４００：装飾品、４０１：花飾り、４０５：台、４０６：札
【図１】
0003148880.tif 000003
【図２】
0003148880.tif 000004
【図３】
0003148880.tif 000005